(57)【特許請求の範囲】
【請求項１】
ＭＢＭＳデータの同報配信をサポートする一般セルと前記ＭＢＭＳデータの同報配信をサポートしない特定セルとを含む移動通信システムにおいて用いられる移動端末であって、
前記移動端末が前記特定セルに在圏する場合であっても、前記ＭＢＭＳデータを受信するために必要な最小限の情報を、前記特定セルを介して、ネットワークに設けられるＢｒｏａｄｃａｓｔ  Ｍｕｌｔｉｃａｓｔ  Ｓｅｒｖｉｃｅ  Ｃｅｎｔｒｅ（ＢＭ−ＳＣ）から取得する制御部を有し、
前記制御部は、前記特定セルを介して前記ＢＭ−ＳＣにアクセスすることにより、前記最小限の情報を取得し、
前記最小限の情報は、前記ＭＢＭＳサービスが配信される地理的エリアを示す情報と、前記ＭＢＭＳデータが配信される周波数を示す情報と、を含むことを特徴とする移動端末。
【請求項２】
前記最小限の情報は、前記ＭＢＭＳデータを提供するサービスの識別子を含むことを特徴とする請求項１に記載の移動端末。
【請求項３】
前記最小限の情報は、前記ＭＢＭＳデータの配信開始時間を示す情報を含むことを特徴とする請求項１に記載の移動端末。
【請求項４】
ＭＢＭＳデータの同報配信をサポートする一般セルと前記ＭＢＭＳデータの同報配信をサポートしない特定セルとを含む移動通信システムにおいて用いられる移動端末に備えられるプロセッサであって、
前記プロセッサは、前記移動端末が前記特定セルに在圏する場合であっても、前記ＭＢＭＳデータを受信するために必要な最小限の情報を、前記特定セルを介して、ネットワークに設けられるＢｒｏａｄｃａｓｔ  Ｍｕｌｔｉｃａｓｔ  Ｓｅｒｖｉｃｅ  Ｃｅｎｔｒｅ（ＢＭ−ＳＣ）から取得し、
前記プロセッサは、前記特定セルを介して前記ＢＭ−ＳＣにアクセスすることにより、前記最小限の情報を取得し、
前記最小限の情報は、前記ＭＢＭＳサービスが配信される地理的エリアを示す情報と、前記ＭＢＭＳデータが配信される周波数を示す情報と、を含むことを特徴とするプロセッサ。
【発明の詳細な説明】
【技術分野】
【０００１】
本発明は、ＭＢＭＳデータの同報配信をサポートする一般セルと前記ＭＢＭＳデータの同報配信をサポートしない特定セルとを含む移動通信システムに適用される移動通信方法及び移動端末に関する。
【背景技術】
【０００２】
従来、ＭＢＭＳデータの同報配信をサポートする一般セル（例えば、マクロセル）が知られている。また、ＣＳＧ（Ｃｌｏｓｅｄ  Ｓｕｂｓｃｒｉｂｅｒ  Ｇｒｏｕｐ）セル、ホームセル又はフェムトセルなどと称される特定セルも知られている。
【０００３】
なお、特定セルには、アクセス種別を設定することが可能である。アクセス種別は、「Ｃｌｏｓｅｄ」、「Ｈｙｂｒｉｄ」又は「Ｏｐｅｎ」である。
【０００４】
ここで、特定セルは、ＭＢＭＳデータの同報配信をサポートしていない。従って、一般セルから特定セルへのハンドオーバやセル選択が行われると、特定セルにおいて、ＭＢＭＳデータに関する情報を移動端末が取得できない。
【先行技術文献】
【非特許文献】
【０００５】
【非特許文献１】３ＧＰＰ  ＴＳ  ３６．３００  ｖ１０．５．０
【発明の概要】
【０００６】
第１の特徴に係る移動端末は、ＭＢＭＳデータの同報配信をサポートする一般セルと前記ＭＢＭＳデータの同報配信をサポートしない特定セルとを含む移動通信システムにおいて用いられる。前記移動端末は、前記移動端末の接続が許容される前記特定セルを探索する自律探索を実行する制御部を有する。前記制御部は、前記ユーザ端末がアイドル状態において前記一般セルから前記ＭＢＭＳデータを受信する場合には、前記自律探索を停止できる。
【０００７】
第２の特徴に係る移動端末は、ＭＢＭＳデータの同報配信をサポートする一般セルと前記ＭＢＭＳデータの同報配信をサポートしない特定セルとを含む移動通信システムにおいて用いられる。前記移動端末は、前記移動端末が前記特定セルに在圏する場合であっても、前記ＭＢＭＳデータを受信するために必要な最小限の情報を前記特定セルから取得できる制御部を有する。
【図面の簡単な説明】
【０００８】
【図１】図１は、第１実施形態乃至第３実施形態に係る移動通信システム１００を示す図である。
【図２】図２は、第１実施形態乃至第３実施形態に係る無線フレームを示す図である。
【図３】図３は、第１実施形態乃至第３実施形態に係る無線リソースを示す図である。
【図４】図４は、第１実施形態乃至第３実施形態に係る移動端末のブロック図である。
【発明を実施するための形態】
【０００９】
以下において、本発明の実施形態に係る移動通信システムについて、図面を参照しながら説明する。なお、以下の図面の記載において、同一又は類似の部分には、同一又は類似の符号を付している。
【００１０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１１】
［第１実施形態］
（第１実施形態の概要）
第１実施形態に係る移動通信方法は、ＭＢＭＳデータの同報配信をサポートする一般セルと前記ＭＢＭＳデータの同報配信をサポートしない特定セルとを含む移動通信システムにおいて、前記ＭＢＭＳデータを移動端末に配信するための方法である。移動通信方法は、前記一般セルが、前記ＭＢＭＳデータの内容を示すＭＢＭＳサービス情報を報知するステップＡと、前記ＭＢＭＳサービス情報が変更される旨及び前記ＭＢＭＳサービス情報が報知される期間を示すＭＢＭＳサービス変更情報を報知するステップＢと、前記特定セルが、前記ＭＢＭＳサービス変更情報を報知するステップＣと、前記特定セルに在圏する前記移動端末が、前記特定セルから報知される前記ＭＢＭＳサービス変更情報によって示される期間において、前記一般セルから報知される前記ＭＢＭＳサービス情報を受信するステップＤとを備える。
【００１２】
第１実施形態では、ＭＢＭＳサービス変更情報が特定セルから報知されるため、移動端末は、一般セルから報知されるＭＢＭＳサービス情報を受信することができる。従って、待受セルが特定セルであっても、移動端末は、ＭＢＭＳデータに関する情報（ＭＢＭＳサービス情報）を継続的に取得することができる。
【００１３】
第１実施形態に係る移動通信方法は、ＭＢＭＳデータの同報配信をサポートする一般セルと前記ＭＢＭＳデータの同報配信をサポートしない特定セルとを含む移動通信システムにおいて、前記ＭＢＭＳデータを移動端末に配信するための方法である。移動通信方法は、前記一般セルが、前記ＭＢＭＳデータの内容を示すＭＢＭＳサービス情報を報知するステップＡと、前記特定セルが、前記ＭＢＭＳサービス情報が変更される旨及び前記ＭＢＭＳサービス情報が報知される期間を示すＭＢＭＳサービス変更情報を報知するステップＢと、前記ＭＢＭＳサービス変更情報によって示される期間において、前記ＭＢＭＳサービス情報を報知するステップＣと、前記特定セルに在圏する前記移動端末が、前記特定セルから報知される前記ＭＢＭＳサービス変更情報によって示される期間において、前記特定セルから報知される前記ＭＢＭＳサービス情報を受信するステップＤとを備える。
【００１４】
第１実施形態では、ＭＢＭＳサービス情報及びＭＢＭＳサービス変更情報が特定セルから報知されるため、移動端末は、特定セルから報知されるＭＢＭＳサービス情報を受信することができる。従って、待受セルが特定セルであっても、移動端末は、ＭＢＭＳデータに関する情報（ＭＢＭＳサービス情報）を継続的に取得することができる。
【００１５】
第１実施形態に係る移動通信方法は、ＭＢＭＳデータの同報配信をサポートする一般セルと前記ＭＢＭＳデータの同報配信をサポートしない特定セルとを含む移動通信システムにおいて、前記ＭＢＭＳデータを移動端末に配信するための方法である。移動通信方法は、前記一般セルが、前記ＭＢＭＳデータの内容を示すＭＢＭＳサービス情報を報知するステップＡと、前記特定セルが、前記ＭＢＭＳサービス情報を前記一般セルから取得して、前記特定セルと接続された前記移動端末に対して、前記ＭＢＭＳサービス情報を送信するステップＢと、前記特定セルと接続された前記移動端末が、前記特定セルから前記ＭＢＭＳサービス情報を受信するステップＣとを備える。
【００１６】
第１実施形態では、特定セルと接続された移動端末に対して、ＭＢＭＳサービス情報が特定セルから送信される。すなわち、ＭＢＭＳサービス情報がユニキャストで特定セルから移動端末に送信される。従って、接続セルが特定セルであっても、移動端末は、ＭＢＭＳデータに関する情報（ＭＢＭＳサービス情報）を継続的に取得することができる。
【００１７】
なお、第１実施形態において、特定セルは、小規模かつ大規模に配備されるセルであることが好ましい。特定セルは、ＨＮＢ（Ｈｏｍｅ  Ｎｏｄｅ  Ｂ）、ＨｅＮＢ（Ｈｏｍｅ  Ｅｖｏｌｖｅｄ  Ｎｏｄｅ  Ｂ）、フェムトＢＴＳなどによって管理されるセルであることが好ましい。すなわち、特定セルを管理する無線基地局は、ＨＮＢ、ＨｅＮＢ、フェムトＢＴＳなどである。
【００１８】
（移動通信システム）
以下において、第１実施形態に係る移動通信システムについて説明する。図１は、第１実施形態に係る移動通信システム１００を示す図である。
【００１９】
図１に示すように、移動通信システム１００は、無線端末１０（以下、ＵＥ１０）と、コアネットワーク５０とを含む。また、移動通信システム１００は、第１通信システムと第２通信システムとを含む。
【００２０】
第１通信システムは、例えば、ＬＴＥ（Ｌｏｎｇ  Ｔｅｒｍ  Ｅｖｏｌｕｔｉｏｎ）に対応する通信システムである。第１通信システムは、例えば、基地局１１０Ａ（以下、ｅＮＢ１１０Ａ）と、ホーム基地局１１０Ｂ（以下、ＨｅＮＢ１１０Ｂ）と、ホーム基地局ゲートウェイ１２０Ｂ（以下、ＨｅＮＢ−ＧＷ１２０Ｂ）と、ＭＭＥ１３０とを有する。
【００２１】
なお、第１通信システムに対応する無線アクセスネットワーク（Ｅ−ＵＴＲＡＮ；Ｅｖｏｌｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ｅＮＢ１１０Ａ、ＨｅＮＢ１１０Ｂ及びＨｅＮＢ−ＧＷ１２０Ｂによって構成される。
【００２２】
第２通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第２通信システムは、基地局２１０Ａ（以下、ＮＢ２１０Ａ）と、ホーム基地局２１０Ｂ（以下、ＨＮＢ２１０Ｂ）と、ＲＮＣ２２０Ａと、ホーム基地局ゲートウェイ２２０Ｂ（以下、ＨＮＢ−ＧＷ２２０Ｂ）と、ＳＧＳＮ２３０とを有する。
【００２３】
なお、第２通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＮＢ２１０Ａ、ＨＮＢ２１０Ｂ、ＲＮＣ２２０Ａ、ＨＮＢ−ＧＷ２２０Ｂによって構成される。
【００２４】
ＵＥ１０は、第２通信システム或いは第１通信システムと通信を行うように構成された装置（Ｕｓｅｒ  Ｅｑｕｉｐｍｅｎｔ）である。例えば、ＵＥ１０は、ｅＮＢ１１０Ａ及びＨｅＮＢ１１０Ｂと無線通信を行う機能を有する。或いは、ＵＥ１０は、ＮＢ２１０Ａ及びＨＮＢ２１０Ｂと無線通信を行う機能を有する。
【００２５】
ｅＮＢ１１０Ａは、一般セル１１１Ａを管理しており、一般セル１１１Ａに存在するＵＥ１０と無線通信を行う装置（ｅｖｏｌｖｅｄ  ＮｏｄｅＢ）である。
【００２６】
ＨｅＮＢ１１０Ｂは、特定セル１１１Ｂを管理しており、特定セル１１１Ｂに存在するＵＥ１０と無線通信を行う装置（Ｈｏｍｅ  ｅｖｏｌｖｅｄ  ＮｏｄｅＢ）である。
【００２７】
ＨｅＮＢ−ＧＷ１２０Ｂは、ＨｅＮＢ１１０Ｂに接続されており、ＨｅＮＢ１１０Ｂを管理する装置（Ｈｏｍｅ  ｅｖｏｌｖｅｄ  ＮｏｄｅＢ  Ｇａｔｅｗａｙ）である。
【００２８】
ＭＭＥ１３０は、ｅＮＢ１１０Ａと接続されており、ＨｅＮＢ１１０Ｂと無線接続を設定しているＵＥ１０の移動性を管理する装置（Ｍｏｂｉｌｉｔｙ  Ｍａｎａｇｅｍｅｎｔ  Ｅｎｔｉｔｙ）である。また、ＭＭＥ１３０は、ＨｅＮＢ−ＧＷ１２０Ｂを介してＨｅＮＢ１１０Ｂと接続されており、ＨｅＮＢ１１０Ｂと無線接続を設定しているＵＥ１０の移動性を管理する装置である。
【００２９】
ＮＢ２１０Ａは、一般セル２１１Ａを管理しており、一般セル２１１Ａに存在するＵＥ１０と無線通信を行う装置（ＮｏｄｅＢ）である。
【００３０】
ＨＮＢ２１０Ｂは、特定セル２１１Ｂを管理しており、特定セル２１１Ｂに存在するＵＥ１０と無線通信を行う装置（Ｈｏｍｅ  ＮｏｄｅＢ）である。
【００３１】
ＲＮＣ２２０Ａは、ＮＢ２１０Ａに接続されており、一般セル２１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３２】
ＨＮＢ−ＧＷ２２０Ｂは、ＨＮＢ２１０Ｂに接続されており、特定セル２１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。
【００３３】
ＳＧＳＮ２３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ２３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３４】
なお、一般セル及び特定セルは、ＵＥ１０と無線通信を行う機能として理解すべきである。但し、一般セル及び特定セルは、セルのカバーエリアを示す用語としても用いられる。また、一般セル及び特定セルなどのセルは、セルで用いられる周波数、拡散コード又はタイムスロットなどによって識別される。
【００３５】
特定セルは、フェムトセル、ＣＳＧ（Ｃｌｏｓｅｄ  Ｓｕｂｓｃｒｉｂｅｒ  Ｇｒｏｕｐ）セル、ホームセルなどと称されることもある。また、特定セルは、特定セルにアクセス可能なＵＥ１０を規定するアクセス種別が設定可能に構成されている。アクセス種別は、「Ｃｌｏｓｅｄ」、「Ｈｙｂｒｉｄ」又は「Ｏｐｅｎ」である。
【００３６】
「Ｃｌｏｓｅｄ」の特定セルは、特定セルによって管理されるＵＥ１０（ＵＥ；Ｕｓｅｒ  Ｅｑｕｉｐｍｅｎｔ）に対するサービスの提供のみが許可されるように構成される。
【００３７】
「Ｈｙｂｒｉｄ」の特定セルは、例えば、特定セルによって管理されるＵＥ１０に対して高品質の通信が許可されるように構成されており、特定セルによって管理されていないＵＥ１０に対してベストエフォート品質の通信が許可されるように構成される。
【００３８】
「Ｏｐｅｎ」の特定セルは、一般セルと同様に、全てのＵＥ１０に対するサービスの提供が許可されるように構成される。なお、「Ｏｐｅｎ」のセルでは、特定セルによって管理されている否かによって、ＵＥ１０間の通信品質の差異が区別されない。
【００３９】
なお、アクセス種別は、アクセスクラス毎にＵＥ１０のアクセスを禁止する「ＡＣＣＥＳＳ  ＣＬＡＳＳ  ＢＡＲＲＥＤ」、セル毎にＵＥ１０のアクセスを禁止する「ＣＥＬＬ  ＢＡＲＲＥＤ」であってもよい。
【００４０】
なお、以下においては、第１通信システムについて主として説明する。但し、以下の記載が第２通信システムに適用されてもよい。
【００４１】
ここで、第１通信システムでは、下り方向の多重方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式が用いられており、上り方向の多重方式として、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が用いられる。
【００４２】
また、第１通信システムでは、上り方向のチャネルとして、上り方向制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）及び上り方向共有チャネル（ＰＵＳＣＨ；Ｐｈｙｓｉｃａｌ  Ｕｐｌｉｎｋ  Ｓｈａｒｅｄ  Ｃｈａｎｎｅｌ）などが存在する。また、下り方向のチャネルとして、下り方向制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）及び下り方向共有チャネル（ＰＤＳＣＨ；Ｐｈｙｓｉｃａｌ  Ｄｏｗｎｌｉｎｋ  Ｓｈａｒｅｄ  Ｃｈａｎｎｅｌ）などが存在する。
【００４３】
上り方向制御チャネルは、制御信号を搬送するチャネルである。制御信号は、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＳＲ（Ｓｃｈｅｄｕｌｉｎｇ  Ｒｅｑｕｅｓｔ）、ＡＣＫ／ＮＡＣＫなどである。
【００４４】
ＣＱＩは、下り方向の伝送に使用すべき推奨変調方式と符号化速度を通知する信号である。ＰＭＩは、下り方向の伝送の為に使用することが望ましいプリコーダマトリックスを示す信号である。ＲＩは、下り方向の伝送に使用すべきレイヤ数（ストリーム数）を示す信号である。ＳＲは、上り方向無線リソース（後述するリソースブロック）の割当てを要求する信号である。ＡＣＫ／ＮＡＣＫは、下り方向のチャネル（例えば、ＰＤＳＣＨ）を介して送信される信号を受信できたか否かを示す信号である。
【００４５】
上り方向共有チャネルは、制御信号（上述した制御信号を含む）又は／及びデータ信号を搬送するチャネルである。例えば、上り方向無線リソースは、データ信号にのみ割当てられてもよく、データ信号及び制御信号が多重されるように割当てられてもよい。
【００４６】
下り方向制御チャネルは、制御信号を搬送するチャネルである。制御信号は、例えば、Ｕｐｌｉｎｋ  ＳＩ（Ｓｃｈｅｄｕｌｉｎｇ  Ｉｎｆｏｒｍａｔｉｏｎ）、Ｄｏｗｎｌｉｎｋ  ＳＩ（Ｓｃｈｅｄｕｌｉｎｇ  Ｉｎｆｏｒｍａｔｉｏｎ）、ＴＰＣビットである。
【００４７】
Ｕｐｌｉｎｋ  ＳＩは、上り方向無線リソースの割当てを示す信号である。Ｄｏｗｎｌｉｎｋ  ＳＩは、下り方向無線リソースの割当てを示す信号である。ＴＰＣビットは、上り方向のチャネルを介して送信される信号の電力の増減を指示する信号である。
【００４８】
下り方向共有チャネルは、制御信号又は／及びデータ信号を搬送するチャネルである。例えば、下り方向無線リソースは、データ信号にのみ割当てられてもよく、データ信号及び制御信号が多重されるように割当てられてもよい。
【００４９】
なお、下り方向共有チャネルを介して送信される制御信号としては、ＴＡ（Ｔｉｍｉｎｇ  Ａｄｖａｎｃｅ）が挙げられる。ＴＡは、ＵＥ１０とｅＮＢ１１０Ａとの間の送信タイミング補正情報であり、ＵＥ１０から送信される上り方向信号に基づいてｅＮＢ１１０Ａによって測定される。
【００５０】
また、下り方向制御チャネル（ＰＤＣＣＨ）下り方向共有チャネル（ＰＤＳＣＨ）以外のチャネルを介して送信される制御信号としては、ＡＣＫ／ＮＡＣＫが挙げられる。ＡＣＫ／ＮＡＣＫは、上り方向のチャネル（例えば、ＰＵＳＣＨ）を介して送信される信号を受信できたか否かを示す信号である。
【００５１】
第１実施形態において、一般セルは、ＭＢＭＳデータの同報配信をサポートするセルである。一般セルは、ＭＢＭＳデータの内容（番組表）を示すＭＢＭＳサービス情報を報知する。或いは、一般セルは、ＭＢＭＳサービス情報が変更される旨及びＭＢＭＳサービス情報が変更されるタイミングを示すＭＢＭＳサービス変更情報を報知する。例えば、一般セルは、ＭＢＭＳデータをＭＴＣＨ（Ｍｕｌｔｉｃａｓｔ  Ｔｒａｆｆｉｃ  Ｃｈａｎｎｅｌ）を介して送信する。また、一般セルは、ＭＢＭＳデータの内容（番組表）を示すＭＢＭＳサービス情報をＭＣＣＨ（Ｍｕｌｔｉｃａｓｔ  Ｃｏｎｔｒｏｌ  Ｃｈａｎｎｅｌ）を介して送信する。或いは、一般セルは、ＭＢＭＳサービス情報をＭＴＣＨを介して送信する。
【００５２】
これに対して、特定セルは、ＭＢＭＳデータの同報配信をサポートしないセルである。従って、特定セルは、ＭＢＭＳデータを同報配信する機能を有しておらず、一般的には、ＭＢＭＳサービス情報やＭＢＭＳサービス変更情報も報知しないことに留意すべきである。但し、特定セルは、特定セルと接続しているコネクティッド状態のＵＥ１０に対して、ＭＢＭＳデータを送信することは可能である。例えば、特定セルは、ＰＤＳＣＨを用いてＭＢＭＳデータを送信することが可能である。
【００５３】
なお、一般セル及び特定セルは、報知チャネル（ＢＣＣＨ；Ｂｒｏａｄｃａｓｔ  Ｃｏｎｔｒｏｌ  Ｃｈａｎｎｅｌ）を介して報知情報を報知する。報知情報は、例えば、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）などの情報である。
【００５４】
（無線フレーム）
以下において、第１通信システムにおける無線フレームについて説明する。図２は、第１通信システムにおける無線フレームを示す図である。
【００５５】
図２に示すように、１つの無線フレームは、１０のサブフレームによって構成されており、１つのサブフレームは、２つのスロットによって構成される。１つのスロットの時間長は、０．５ｍｓｅｃであり、１つのサブフレームの時間長は、１ｍｓｅｃであり、１つの無線フレームの時間長は、１０ｍｓｅｃである。
【００５６】
なお、１つのスロットは、下り方向において、複数のＯＦＤＭシンボル（例えば、６つのＯＦＤＭシンボル或いは７つのＯＦＤＭシンボル）によって構成される。同様に、１つのスロットは、上り方向において、複数のＳＣ−ＦＤＭＡシンボル（例えば、６つのＳＣ−ＦＤＭＡシンボル或いは７つのＳＣ−ＦＤＭＡシンボル）によって構成される。
【００５７】
（無線リソース）
以下において、第１通信システムにおける無線リソースについて説明する。図３は、第１通信システムにおける無線リソースを示す図である。
【００５８】
図３に示すように、無線リソースは、周波数軸及び時間軸によって定義される。周波数は、複数のサブキャリアによって構成されており、所定数のサブキャリア（１２のサブキャリア）を纏めてリソースブロック（ＲＢ：Ｒｅｓｏｕｒｃｅ  Ｂｌｏｃｋ）と称する。時間は、上述したように、ＯＦＤＭシンボル（又は、ＳＣ−ＦＤＭＡシンボル）、スロット、サブフレーム、無線フレームなどの単位を有する。
【００５９】
ここで、無線リソースは、１リソースブロック毎に割当て可能である。また、周波数軸及び時間軸上において、複数のユーザ（例えば、ユーザ＃１〜ユーザ＃５）に対して分割して無線リソースを割当てることが可能である。
【００６０】
また、無線リソースは、ｅＮＢ１１０Ａによって割当てられる。ｅＮＢ１１０Ａは、ＣＱＩ、ＰＭＩ、ＲＩなどに基づいて、各ＵＥ１０に割当てられる。
【００６１】
（ＵＥの構成）
図４は、ＵＥ１０のブロック図である。図４に示すように、ＵＥ１０は、アンテナ１１と、無線送受信機１２と、ユーザインターフェイス１３と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１４と、バッテリ１５と、メモリ１６と、プロセッサ１７とを有する。メモリ１６及びプロセッサ１７は、制御部を構成する。
【００６２】
ＵＥ１０は、ＧＮＳＳ受信機１４を有していなくてもよい。また、メモリ１６をプロセッサ１７と一体化し、このセット（すなわち、チップセット）をプロセッサ１７’としてもよい。
【００６３】
アンテナ１１及び無線送受信機１２は、無線信号の送受信に用いられる。アンテナ１１は、複数のアンテナ素子を含む。無線送受信機１２は、プロセッサ１７が出力するベースバンド信号を無線信号に変換してアンテナ１１から送信する。また、無線送受信機１２は、アンテナ１１が受信する無線信号をベースバンド信号に変換してプロセッサ１７に出力する。
【００６４】
ユーザインターフェイス１３は、ＵＥ１０を所持するユーザとのインターフェイスであり、例えば、ディスプレイ、マイク、スピーカ、及び各種ボタンなどを含む。ユーザインターフェイス１３は、ユーザからの操作を受け付けて、該操作の内容を示す信号をプロセッサ１７に出力する。
【００６５】
ＧＮＳＳ受信機１４は、ＵＥ１０の地理的な位置を示す位置情報を得るために、ＧＮＳＳ信号を受信して、受信した信号をプロセッサ１７に出力する。
【００６６】
バッテリ１５は、ＵＥ１０の各ブロックに供給すべき電力を蓄える。
【００６７】
メモリ１６は、プロセッサ１７によって実行されるプログラムと、プロセッサ１７による処理に使用される情報とを記憶する。
【００６８】
プロセッサ１７は、ベースバンド信号の変調・復調及び符号化・復号などを行うベースバンドプロセッサと、メモリ１６に記憶されるプログラムを実行して各種の処理を行うＣＰＵ（Ｃｅｎｔｒａｌ  Ｐｒｏｃｅｓｓｉｎｇ  Ｕｎｉｔ）とを含む。プロセッサ１７は、さらに、音声・映像信号の符号化・復号を行うコーデックを含んでもよい。プロセッサ１７は、後述する各種の処理を実行する。
【００６９】
（移動通信方法）
以下において、第１実施形態に係る移動通信方法について説明する。以下においては、３つのケースについて説明する。
【００７０】
（ケース１）
以下においては、ＭＢＭＳサービス情報が一般セルから報知され、ＭＢＭＳサービス変更情報が特定セルから報知されるケースについて説明する。なお、ＵＥ１０は特定セルに在圏する。なお、在圏は、アイドル状態及びコネクティッド状態の双方を示す用語であることに留意すべきである。
【００７１】
詳細には、ケース１において、移動通信方法は、一般セルが、ＭＢＭＳデータの内容を示すＭＢＭＳサービス情報を報知するステップＡと、ＭＢＭＳサービス情報が変更される旨及びＭＢＭＳサービス情報が報知される期間（例えば、ＭＣＣＨ  ｍｏｄｉｆｉｃａｔｉｏｎ  Ｐｅｒｉｏｄ）を示すＭＢＭＳサービス変更情報を報知するステップＢと、特定セルが、ＭＢＭＳサービス変更情報を報知するステップＣと、ＵＥ１０が、特定セルから報知されるＭＢＭＳサービス変更情報によって示される期間において、一般セルから報知されるＭＢＭＳサービス情報を受信するステップＤとを備える。
【００７２】
ここで、ステップＣにおいて、特定セルは、ＭＢＭＳサービス変更情報によって示される期間において、下り方向共有チャネルを介して下り方向データの送信を停止することが好ましい。
【００７３】
これによって、特定セルの属する周波数が一般セルの属する周波数と同じであっても、異なっていても、一般セルから報知されるＭＢＭＳサービス情報の監視に伴って、特定セルから下り方向共有チャネルを介して送信される下り方向データを受信できないという問題が生じない。
【００７４】
また、特定セルの属する周波数が一般セルの属する周波数と同じ場合においては、特定セルから下り方向共有チャネルを介して送信される下り方向データと一般セルから報知されるＭＢＭＳサービス情報との間の干渉がＵＥ１０において生じない。
【００７５】
ケース１において、移動通信方法は、移動通信システムのインタフェースを介して、ＭＢＭＳサービス変更情報を取得するステップＥを備えてもよい。なお、移動通信システムのインタフェースは、基地局間インタフェース（Ｘ２インタフェース）、又は、コアネットワーク経由のインタフェース（Ｓ１インタフェース）などである。
【００７６】
或いは、ケース１において、移動通信方法は、特定セルが、一般セルから報知されるＭＢＭＳサービス変更情報を監視して、ＭＢＭＳサービス変更情報を取得するステップＥを備えてもよい。このようなケースにおいて、特定セルの属する周波数が一般セルの属する周波数と同じである場合には、特定セルは、一般セルからＭＢＭＳサービス変更情報が報知される期間において、上り方向データの送信を停止させるように、特定セルに在圏するＵＥ１０を制御してもよい。例えば、特定セルは、一般セルからＭＢＭＳサービス変更情報が報知される期間における上り方向データの送信の停止指示をＵＥ１０に送信する。これによって、ＵＥ１０から送信される上り方向データと一般セルから報知されるＭＢＭＳサービス変更情報との間の干渉が特定セルにおいて生じない。
【００７７】
（ケース２）
以下においては、ＭＢＭＳサービス情報及びＭＢＭＳサービス変更情報が特定セルから報知されるケースについて説明する。なお、ＵＥ１０は特定セルに在圏する。なお、在圏は、アイドル状態及びコネクティッド状態の双方を示す用語であることに留意すべきである。
【００７８】
詳細には、ケース２において、移動通信方法は、一般セルが、ＭＢＭＳデータの内容を示すＭＢＭＳサービス情報を報知するステップＡと、特定セルが、ＭＢＭＳサービス情報が変更される旨及びＭＢＭＳサービス情報が報知される期間（例えば、ＭＣＣＨ  ｍｏｄｉｆｉｃａｔｉｏｎ  Ｐｅｒｉｏｄ）を示すＭＢＭＳサービス変更情報を報知するステップＢと、ＭＢＭＳサービス変更情報によって示される期間において、ＭＢＭＳサービス情報を報知するステップＣと、移動端末が、特定セルから報知されるＭＢＭＳサービス変更情報によって示される期間において、特定セルから報知されるＭＢＭＳサービス情報を受信するステップＤとを備える。
【００７９】
ケース２において、移動通信方法は、移動通信システムのインタフェースを介して、ＭＢＭＳサービス情報を取得するステップＥを備えてもよい。なお、移動通信システムのインタフェースは、基地局間インタフェース（Ｘ２インタフェース）、又は、コアネットワーク経由のインタフェース（Ｓ１インタフェース）などである。
【００８０】
或いは、ケース２において、移動通信方法は、特定セルが、一般セルから報知されるＭＢＭＳサービス情報を監視して、ＭＢＭＳサービス情報を取得するステップＥを備えてもよい。例えば、特定セルは、一般セルから報知されるＭＢＭＳサービス変更情報を監視して、一般セルからＭＢＭＳサービス情報が報知される期間を特定し、特定された期間においてＭＢＭＳサービス情報を監視して、ＭＢＭＳサービス情報を取得する。このようなケースにおいて、特定セルの属する周波数が一般セルの属する周波数と同じである場合には、特定セルは、一般セルからＭＢＭＳサービス情報が報知される期間において、上り方向データの送信を停止させるように、特定セルに在圏するＵＥ１０を制御してもよい。例えば、特定セルは、一般セルからＭＢＭＳサービス情報が報知される期間における上り方向データの送信の停止指示をＵＥ１０に送信してもよい。このようなケースにおいて、特定セルは、一般セルからＭＢＭＳサービス変更情報が報知される期間において、上り方向データの送信を停止させるように、特定セルに在圏するＵＥ１０を制御してもよい。例えば、特定セルは、一般セルからＭＢＭＳサービス変更情報が報知される期間における上り方向データの送信の停止指示をＵＥ１０に送信してもよい。これによって、ＵＥ１０から送信される上り方向データと一般セルから報知されるＭＢＭＳサービス情報との間の干渉が特定セルにおいて生じない。
【００８１】
なお、ケース２において、特定セルからＭＢＭＳサービス変更情報が報知されるため、特定セルからＭＢＭＳサービス情報が報知される期間は、特定セルで任意に定めることが可能である。言い換えると、特定セルからＭＢＭＳサービス情報が報知されるタイミングは、一般セルからＭＢＭＳサービス情報が報知されるタイミングと異なっていてもよい。すなわち、特定セルからＭＢＭＳサービス変更情報の内容は、一般セルから報知されるＭＢＭＳサービス変更情報の内容と異なっていてもよい。
【００８２】
（ケース３）
以下においては、ＭＢＭＳサービス情報が特定セルからユニキャストで送信されるケースについて説明する。なお、ＵＥ１０は特定セルにおいてコネクティッド状態である。
【００８３】
詳細には、ケース３において、移動通信方法は、一般セルが、ＭＢＭＳデータの内容を示すＭＢＭＳサービス情報を報知するステップＡと、特定セルが、ＭＢＭＳサービス情報を一般セルから取得して、特定セルと接続された移動端末に対して、ＭＢＭＳサービス情報を送信するステップＢと、特定セルと接続された移動端末が、特定セルからＭＢＭＳサービス情報を受信するステップＣとを備える。
【００８４】
ケース３において、移動通信方法は、移動通信システムのインタフェースを介して、ＭＢＭＳサービス情報を取得するステップＤを備えてもよい。なお、移動通信システムのインタフェースは、基地局間インタフェース（Ｘ２インタフェース）、又は、コアネットワーク経由のインタフェース（Ｓ１インタフェース）などである。
【００８５】
或いは、ケース３において、移動通信方法は、特定セルが、一般セルから報知されるＭＢＭＳサービス情報を監視して、ＭＢＭＳサービス情報を取得するステップＤを備えてもよい。例えば、特定セルは、一般セルから報知されるＭＢＭＳサービス変更情報を監視して、一般セルからＭＢＭＳサービス情報が報知される期間を特定し、特定された期間においてＭＢＭＳサービス情報を監視して、ＭＢＭＳサービス情報を取得する。このようなケースにおいて、特定セルの属する周波数が一般セルの属する周波数と同じである場合には、特定セルは、一般セルからＭＢＭＳサービス情報が報知される期間において、上り方向データの送信を停止させるように、特定セルに在圏するＵＥ１０を制御してもよい。例えば、特定セルは、一般セルからＭＢＭＳサービス情報が報知される期間における上り方向データの送信の停止指示をＵＥ１０に送信してもよい。このようなケースにおいて、特定セルは、一般セルからＭＢＭＳサービス変更情報が報知される期間において、上り方向データの送信を停止させるように、特定セルに在圏するＵＥ１０を制御してもよい。例えば、特定セルは、一般セルからＭＢＭＳサービス変更情報が報知される期間における上り方向データの送信の停止指示をＵＥ１０に送信してもよい。これによって、ＵＥ１０から送信される上り方向データと一般セルから報知されるＭＢＭＳサービス情報との間の干渉が特定セルにおいて生じない。
【００８６】
なお、ケース３において、ＭＢＭＳサービス情報がユニキャストで送信されるため、特定セルからＭＢＭＳサービス変更情報を報知する必要がないことに留意すべきである。
【００８７】
（作用及び効果）
ケース１では、ＭＢＭＳサービス変更情報が特定セルから報知されるため、移動端末は、一般セルから報知されるＭＢＭＳサービス情報を受信することができる。従って、待受セルが特定セルであっても、移動端末は、ＭＢＭＳデータに関する情報（ＭＢＭＳサービス情報）を継続的に取得することができる。
【００８８】
ケース２では、ＭＢＭＳサービス情報及びＭＢＭＳサービス変更情報が特定セルから報知されるため、移動端末は、特定セルから報知されるＭＢＭＳサービス情報を受信することができる。従って、待受セルが特定セルであっても、移動端末は、ＭＢＭＳデータに関する情報（ＭＢＭＳサービス情報）を継続的に取得することができる。
【００８９】
ケース３では、特定セルと接続された移動端末に対して、ＭＢＭＳサービス情報が特定セルから送信される。すなわち、ＭＢＭＳサービス情報がユニキャストで特定セルから移動端末に送信される。従って、接続セルが特定セルであっても、移動端末は、ＭＢＭＳデータに関する情報（ＭＢＭＳサービス情報）を継続的に取得することができる。
【００９０】
［第２実施形態］
以下、第２実施形態について、第１実施形態との相違点を主として説明する。第１実施形態では、特定セルと一般セルとの間でセル再選択を行う動作について特に触れなかったが、第２実施形態は、セル再選択に関連する実施形態である。
【００９１】
第２実施形態に係る移動端末（ＵＥ１０）は、ＭＢＭＳデータの同報配信をサポートする一般セルと前記ＭＢＭＳデータの同報配信をサポートしない特定セルとを含む移動通信システムにおいて用いられる。前記移動端末は、前記移動端末の接続が許容される前記特定セルを探索する自律探索を実行する制御部（プロセッサ１７）を有する。前記制御部は、前記ユーザ端末がアイドル状態において前記一般セルから前記ＭＢＭＳデータを受信する場合には、前記自律探索を停止できる。
【００９２】
また、第２実施形態に係るプロセッサは、ＭＢＭＳデータの同報配信をサポートする一般セルと前記ＭＢＭＳデータの同報配信をサポートしない特定セルとを含む移動通信システムにおいて用いられる移動端末に備えられる。前記プロセッサは、前記移動端末の接続が許容される前記特定セルを探索する自律探索を実行する。前記プロセッサは、前記ユーザ端末がアイドル状態において前記一般セルから前記ＭＢＭＳデータを受信する場合には、前記自律探索を停止できる。
【００９３】
自律探索（ａｕｔｏｎｏｍｏｕｓ  ｓｅａｒｃｈ）とは、ＵＥ１０が保持するホワイトリストに含まれるＣＳＧ  ＩＤを有する特定セル、すなわちＵＥ１０との接続が許容される特定セルを探索する動作である。ＵＥ１０は、自律探索を実行することにより、サービングセルの属する周波数とは異なる周波数に属する特定セルであって、少なくとも過去に発見された特定セルを検出する。
【００９４】
特定セル、具体的には、ホーム基地局（ＨＮＢ、ＨｅＮＢ）により管理されるセルは、ＭＢＭＳデータの同報配信をサポートしない。よって、ＵＥ１０がアイドル状態において一般セルからＭＢＭＳデータを受信する場合（受信を望む場合と受信中の場合とを含む）、ＵＥ１０が特定セルへのセル再選択を実行してしまうと、ＵＥ１０は、アイドル状態においてＭＢＭＳデータを受信することができない。
【００９５】
従って、第２実施形態では、ＵＥ１０は、アイドル状態において一般セルからＭＢＭＳデータを受信する場合には、自律探索を停止する。また、ＵＥ１０は、アイドル状態において一般セルからＭＢＭＳデータを受信する場合には、セル再選択の優先度として、ＭＢＭＳデータが配信される周波数を最高優先度に設定する。
【００９６】
これにより、ＵＥ１０は、アイドル状態において特定セルからＭＢＭＳデータを受信することができる。また、自律探索を停止することにより、ＵＥ１０の処理負荷及び消費電力を削減することができる。
【００９７】
［第３実施形態］
以下、第３実施形態について、第１実施形態との相違点を主として説明する。第１実施形態では、特定セルがＭＢＭＳサービス情報及び／又はＭＢＭＳサービス変更情報を報知（ｂｒｏａｄｃａｓｔ）していた。
【００９８】
しかしながら、ＭＢＭＳデータを受信するためには、これらの情報以外に、ＭＢＭＳ基本情報（すなわち、ＭＢＭＳデータを受信するために必要な最小限の情報）を取得する必要がある。このようなＭＢＭＳ基本情報は、ＵＳＤ（Ｕｓｅｒ  Ｓｅｒｖｉｃｅ  Ｄｅｓｃｒｉｐｔｉｏｎ）と称される。
【００９９】
第３実施形態に係る移動端末（ＵＥ１０）は、ＭＢＭＳデータの同報配信をサポートする一般セルと前記ＭＢＭＳデータの同報配信をサポートしない特定セルとを含む移動通信システムにおいて用いられる。前記移動端末は、前記移動端末が前記特定セルに在圏する場合であっても、前記ＭＢＭＳデータを受信するために必要な最小限の情報を前記特定セルから取得できる制御部（プロセッサ１７）を有する。
【０１００】
前記最小限の情報は、前記ＭＢＭＳデータを提供するサービスの識別子を含んでもよい。このようなサービス識別子は、ＴＭＧＩ（Ｔｅｍｐｏｒａｒｙ  Ｍｏｂｉｌｅ  Ｇｒｏｕｐ  Ｉｄｅｎｔｉｆｉｅｒ）と称される。
【０１０１】
前記最小限の情報は、前記ＭＢＭＳデータの配信開始時間（セッション開始時間）を示す情報を含んでもよい。また、前記最小限の情報は、前記ＭＢＭＳデータの配信終了時間（セッション終了時間）を示す情報を含んでもよい。
【０１０２】
前記最小限の情報は、前記ＭＢＭＳデータが配信される周波数を示す情報を含んでもよい。
【０１０３】
前記最小限の情報は、前記ＭＢＭＳサービスが配信される地理的エリアを示す情報を含んでもよい。
【０１０４】
第３実施形態に係るプロセッサは、ＭＢＭＳデータの同報配信をサポートする一般セルと前記ＭＢＭＳデータの同報配信をサポートしない特定セルとを含む移動通信システムにおいて用いられる移動端末に備えられる。前記プロセッサは、前記移動端末が前記特定セルに在圏する場合であっても、前記ＭＢＭＳデータを受信するために必要な最小限の情報を前記特定セルから取得できる。
【０１０５】
このように、ＵＥ１０は、特定セルに在圏する場合であっても、ＭＢＭＳデータを受信するために必要な最小限の情報を特定セルから取得することによって、ＭＢＭＳデータを受信可能な状態とすることができる。
【０１０６】
前記最小限の情報は、コアネットワーク５０に設けられるＭＢＭＳサーバ装置（Ｂｒｏａｄｃａｓｔ  Ｍｕｌｔｉｃａｓｔ  Ｓｅｒｖｉｃｅ  Ｃｅｎｔｒｅ）から、ＮＡＳ（Ｎｏｎ  Ａｃｃｅｓｓ  Ｓｔｒａｔｕｍ）メッセージとして配信される。ＵＥ１０は、特定セルと接続した状態（コネクティッド状態）において、特定セルを介してＭＢＭＳサーバ装置にアクセスして、かかるＮＡＳメッセージを取得する。
【０１０７】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１０８】
上述した第２実施形態では、一般セルの属する周波数と特定セルの属する周波数とが異なる場合のセル再選択を想定したが、一般セルの属する周波数と特定セルの属する周波数とが同じ場合には、アイドル状態において一般セルからＭＢＭＳデータを受信するＵＥ１０は、特定セルから干渉の影響を受ける可能性がある。よって、一般セルの属する周波数と特定セルの属する周波数とが同じ場合には、アイドル状態において一般セルからＭＢＭＳデータを受信するＵＥ１０は、セル再選択の優先度として、ＵＥ１０の接続が許容される特定セルを最高優先度に設定してもよい。ＵＥ１０は、待受セルを特定セルに変更した後、ＭＢＭＳデータの受信を望む場合には、特定セルに接続することにより、特定セルからＭＢＭＳデータをユニキャストで受信できる。
【０１０９】
なお、米国仮出願第６１／５５６４０５号（２０１１年１１月７日出願）の全内容が、参照により、本願明細書に組み込まれている。
【産業上の利用可能性】
【０１１０】
以上のように、本発明は、移動通信などの無線通信分野において有用である。
【図１】
0006033976.tif 000002
【図２】
0006033976.tif 000003
【図３】
0006033976.tif 000004
【図４】
0006033976.tif 000005